(57)【要約】      （修正有）【課題】帯板部に密状態に連続的に多数のミシン跡が顕出して傷のように残ることがなくなり、帯板の商品価値の低下を防ぐことができる軽装帯を提供する。【解決手段】胴巻用の帯板部１及びお太鼓部２からなり、帯板部のお太鼓部側の一方端部及び帯板部の巻始側Ｋの他方端部に相互に着脱自在な一対の面ファスナー３ａ・３ｂをそれぞれ設け、巻始側の面ファスナーと帯板部との間に巻き方向に伸縮可能な弾性材４を介装してなり、弾性材は基板５に止着され、基板は帯板部の巻始側の他方端部に適宜数箇所止着され、弾性材に巻始側の面ファスナーが止着されてなる。【選択図】図４
0003177272.tif 000002
【実用新案登録請求の範囲】
【請求項１】
胴巻用の帯板部及びお太鼓部からなり、該帯板部のお太鼓部側の一方端部及び帯板部の巻始側の他方端部に相互に着脱自在な一対の面ファスナーをそれぞれ設け、該巻始側の面ファスナーと上記帯板部との間に巻き方向に伸縮可能な弾性材を介装してなり、上記弾性材は基板に止着され、該基板は上記帯板部の巻始側の他方端部に適宜数箇所止着され、該弾性材に上記巻始側の面ファスナーが止着されてなることを特徴とする軽装帯。
【請求項２】
上記基板は合成樹脂板材からなることを特徴とする請求項１記載の軽装帯。
【請求項３】
上記弾性材は折り返し状に形成され、該弾性材の折り返し両端部は上記基板に止着され、該基板は上記帯板部の巻始側の他方端部に適宜数箇所止着され、該弾性材の一方の折り返し面に上記巻始側の面ファスナーを止着してなることを特徴とする請求項１又は２記載の軽装帯。
【請求項４】
表面は上記巻始側の面ファスナーの表面を覆う状態で着脱自在であって、裏面は上記お太鼓部側の面ファスナーの表面に係着不能なカバー面ファスナーを設けてなることを特徴とする請求項１〜３のいずれか１項に記載の軽装帯。
【請求項５】
上記カバー面ファスナーは上記巻始側の面ファスナーに止着されていることを特徴とする請求項１記載の軽装帯。
【考案の詳細な説明】
【技術分野】
【０００１】
本考案は、例えば、友達同士の集まり、宴会、長期旅行などにおいて、気軽に、簡易に、身軽に装える和服用の軽装帯に関するものである。
【背景技術】
【０００２】
従来、この種の軽装帯として、胴巻用の帯板部及びお太鼓部からなり、帯板部とお太鼓部とを一体にした一部式軽装帯や帯板部とお太鼓部とを別体にした二部式軽装帯が知られている。
【０００３】
また、この帯板部のお太鼓部側の一方端部及び帯板部の巻始側の他方端部に相互に着脱自在な一対の面ファスナーを設けてなる構造のものが知られている。
【０００４】
この構造は、一対の面ファスナーを用いる構造のため、帯板部の着用者の腰への着脱を簡易に行うことはできるが、着用者の胴のサイズに対する適応性、密着性や適度な締め付け強さを得ることができず、位置ずれやずり落ちが生じたり、適度な圧迫感が得られず、腰へのフィット感が低下したりすることがある。
【０００５】
そこで、上記構造に加え、上記巻始側の面ファスナーと上記帯板部との間に巻き方向に伸縮可能な弾性材を介装してなる構造が提案され、これにより着用者の胴のサイズに対する適応性、密着性や適度な締め付け強さを得ることができ、位置ずれやずり落ちを防ぐことができると共に適度な圧迫感を得て腰へのフィット感を高めることができる。
【先行技術文献】
【特許文献】
【０００６】
【特許文献１】実用新案登録第３０５７８２９号公報
【特許文献２】実用新案登録第３１５３４０７号公報
【考案の概要】
【考案が解決しようとする課題】
【０００７】
しかしながらこの従来構造の場合、上記弾性材は上記帯板部の巻始側の他方端部に直接ミシン縫成により止着されており、ミシン縫成による弾性材と帯板部との止着構造であるから、帯板部に密状態に連続的に顕出する多数のミシン跡が残り、大事な帯板部に多数のミシン跡が残ることにより帯板の商品価値が低下したり、それが原因となって顧客からのクレームにつながるおそれがあるという不都合を有している。
【課題を解決するための手段】
【０００８】
本考案はこれらの不都合を解決することを目的とするもので、本考案のうちで、請求項１記載の考案は、胴巻用の帯板部及びお太鼓部からなり、該帯板部のお太鼓部側の一方端部及び帯板部の巻始側の他方端部に相互に着脱自在な一対の面ファスナーをそれぞれ設け、該巻始側の面ファスナーと上記帯板部との間に巻き方向に伸縮可能な弾性材を介装してなり、上記弾性材は基板に止着され、該基板は上記帯板部の巻始側の他方端部に適宜数箇所止着され、該弾性材に上記巻始側の面ファスナーが止着されてなることを特徴とする軽装帯にある。
【０００９】
又、請求項２記載の考案は、上記基板は合成樹脂板材からなることを特徴とするものであり、又、請求項３記載の考案は、上記弾性材は折り返し状に形成され、該弾性材の折り返し両端部は上記基板に止着され、該基板は上記帯板部の巻始側の他方端部に適宜数箇所止着され、該弾性材の一方の折り返し面に上記巻始側の面ファスナーを止着してなることを特徴とするものであり、又、請求項４記載の考案は、表面は上記巻始側の面ファスナーの表面を覆う状態で着脱自在であって、裏面は上記お太鼓部側の面ファスナーの表面に係着不能なカバー面ファスナーを設けてなることを特徴とするものであり、又、請求項５記載の考案は、上記カバー面ファスナーは上記巻始側の面ファスナーに止着されていることを特徴とするものである。
【考案の効果】
【００１０】
本考案は上述の如く、請求項１記載の考案にあっては、一対の面ファスナーにより帯板部の着用者の腰への着脱を簡易に行うことができ、かつ、巻始側の面ファスナーと上記帯板部との間に介装されている巻き方向に伸縮可能な弾性材が存在することにより、着用者の胴のサイズに対する適応性、密着性や適度な締め付け強さを得ることができ、位置ずれやずり落ちを防ぐことができると共に適度な圧迫感を得て腰へのフィット感を高めることができ、かつ、上記弾性材は基板に止着され、基板は上記帯板部の巻始側の他方端部に適宜数箇所止着され、弾性材に上記巻始側の面ファスナーが止着されてなるから、上記帯板部に基板を適宜数箇所止着する構造となり、帯板部には適宜数箇所程度の縫目が顕出するだけであり、帯板部に密状態に連続的に多数のミシン跡が顕出して傷のように残ることがなくなり、帯板の商品価値の低下を防ぐことができる。
【００１１】
又、請求項２記載の考案にあっては、上記基板は合成樹脂板材からなるので、軽量及び適度な硬さを得ることができ、着用者の胴のサイズに対する適応性、密着性や適度な締め付け強さを得ることができ、又、請求項３記載の考案にあっては、上記弾性材は折り返し状に形成され、弾性材の折り返し両端部は上記基板に止着され、基板は上記帯板部の巻始側の他方端部に適宜数箇所止着され、弾性材の一方の折り返し面に上記巻始側の面ファスナーを止着してなるから、巻き始めは一枚の弾性材の引張力で引っ張ることができ、固定時は二枚分の引張力で固定することができ、それだけ着用者の胴への密着性を高めることができ、適度な圧迫感を得て腰へのフィット感を高めることができ、又、請求項４記載の考案にあっては、表面は上記巻始側の面ファスナーの表面を覆う状態で着脱自在であって、裏面は上記お太鼓部側の面ファスナーの表面に係着不能なカバー面ファスナーを設けてなるから、巻始側の面ファスナーにカバー面ファスナーを止着することにより巻始側の面ファスナーの表面による帯板部の刺繍等への引っ掛かり損傷を防ぐことができ、巻始側の面ファスナーにカバー面ファスナーを止着することによりカバー面ファスナーの裏面は上記お太鼓部側の面ファスナーの表面に係着不能であるから、カバー面ファスナーの裏面による帯板部の刺繍等への引っ掛かり損傷を防ぐことができ、また、請求項５記載の考案にあっては、上記カバー面ファスナーは上記巻始側の面ファスナーに止着されているから、上記巻始側の面ファスナーの表面とカバー面ファスナーとの係脱を容易に行うことができる。
【図面の簡単な説明】
【００１２】
【図１】本考案の実施の形態例の部分斜視図である。
【図２】本考案の実施の形態例の部分平面図である。
【図３】本考案の実施の形態例の部分平面図である。
【図４】本考案の実施の形態例の全体斜視図である。
【図５】本考案の実施の形態例の部分斜視図である。
【図６】本考案の実施の形態例の部分正面図である。
【図７】本考案の実施の形態例の全体斜視図である。
【図８】本考案の実施の形態例の部分平面図である。
【図９】本考案の実施の形態例の全体平面図である。
【図１０】本考案の実施の形態例の使用状態図である。
【考案を実施するための形態】
【００１３】
図１乃至図１０は本考案の実施の形態例を示し、図１、図４、図７、図１０の如く、１は胴巻用の帯板部、２はお太鼓部であり、この場合、帯板部１とお太鼓部２とが一体の一部式帯となっており、この帯板部１のお太鼓部２側の一方端部及び帯板部１の巻始側Ｋの他方端部に相互に着脱自在な一対の面ファスナー３ａ・３ｂ、この場合、合成樹脂板材からなる硬質板３ｃを介して面ファスナー３ｂがそれぞれ設けられている。
【００１４】
４は弾性材であって、この場合、図１、図４の如く、着用者Ｗの胴に対する巻き方向に伸縮可能な幅広の板状ゴム、いわゆる和裁用の幅広ゴムが用いられ、上記巻始側Ｋの面ファスナー３ｂと上記帯板部１との間に介装されている。
【００１５】
この場合、図２、図６の如く、上記弾性材４は基板５、この場合、合成樹脂板材からなる基板５に止着され、基板５は上記帯板部１の巻始側Ｋの他方端部に適宜数箇所、この場合、１０箇所の縫目Ｇで止着され、弾性材４に上記巻始側Ｋの面ファスナー３ｂが止着されている。
【００１６】
また、この場合、図２、図５の如く、上記弾性材４は折り返し状に形成され、弾性材４の折り返し両端部４ａ・４ａは上記基板５にミシンのミシン目部Ｐにより止着され、基板５は上記帯板部１の巻始側Ｋの他方端部に適宜数箇所、この場合、１０箇所の縫目Ｇで止着され、弾性材４の一方の折り返し面Ｆに上記巻始側Ｋの面ファスナー３ｂを止着している。
【００１７】
６はカバー面ファスナーであって、図５、図６、図８の如く、表面は上記巻始側Ｋの面ファスナー３ｂの表面を覆う状態で着脱自在であって、裏面は上記お太鼓部２側の面ファスナー３ａの表面に係着不能な構造を有しており、このカバー面ファスナー６は上記巻始側Ｋの面ファスナー３ｂに縫成部分Ｓにより止着されている。
【００１８】
又、この場合、上記面ファスナー３ａ・３ｂ及びカバー面ファスナー６は、例えば、ビニロン、ポリエチレン、ポリプロピレン、ポリエステルなどの合成樹脂製のものを用いることもある。
【００１９】
この実施の形態例は上記構成であるから、図４、図７、図８、図９の如く、一対の面ファスナー３ａ・３ｂにより帯板部１の着用者Ｗの腰への着脱を簡易に行うことができ、かつ、巻始側Ｋの面ファスナー３ｂと上記帯板部１との間に介装されている巻き方向に伸縮可能な弾性材４が存在することにより、例えば年齢の増加などに伴う着用者Ｗの胴のサイズに対する適応性、密着性や適度な締め付け強さを得ることができ、位置ずれやずり落ちを防ぐことができると共に適度な圧迫感を得て腰へのフィット感を高めることができ、かつ、図１、図２、図３の如く、上記弾性材４は基板５に止着され、基板５は上記帯板部１の巻始側Ｋの他方端部に適宜数箇所止着され、弾性材４に上記巻始側Ｋの面ファスナー３ｂが止着されてなるから、上記帯板部１に基板５を適宜数箇所止着する構造となり、即ち、適宜数箇所、例えば、１０箇所程度の縫目Ｇが顕出するだけであり、帯板部１に密状態に連続的に多数のミシン跡が顕出して傷のように残ることがなくなり、帯板の商品価値の低下を防ぐことができる。
【００２０】
この場合、上記基板５は合成樹脂板材からなるので、軽量及び適度な硬さを得ることができ、着用者Ｗの胴のサイズに対する適応性、密着性や適度な締め付け強さを得ることができ、この場合、上記弾性材４は折り返し状に形成され、弾性材４の折り返し両端部４ａ・４ａは上記基板５に止着され、基板５は上記帯板部１の巻始側Ｋの他方端部に適宜数箇所止着され、弾性材４の一方の折り返し面Ｆに上記巻始側Ｋの面ファスナー３ｂを止着してなるから、巻き始めは一枚の弾性材４の引張力で引っ張ることができ、固定時は二枚分の引張力で固定することができ、それだけ着用者Ｗの胴への密着性を高めることができ、適度な圧迫感を得て腰へのフィット感を高めることができ、又、この場合、表面は上記巻始側Ｋの面ファスナー３ｂの表面を覆う状態で着脱自在であって、裏面は上記お太鼓部２側の面ファスナー３ａの表面に係着不能なカバー面ファスナー６を設けてなるから、巻始側の面ファスナー３ｂにカバー面ファスナー６を止着することにより巻始側の面ファスナー３ｂの表面による帯板部１の刺繍等への引っ掛かり損傷を防ぐことができ、巻始側の面ファスナー３ｂにカバー面ファスナー６を止着することによりカバー面ファスナー６の裏面は上記お太鼓部２側の面ファスナー３ａの表面に係着不能であるから、カバー面ファスナー６の裏面による帯板部１の刺繍等への引っ掛かり損傷を防ぐことができ、また、この場合、上記カバー面ファスナー６は上記巻始側Ｋの面ファスナー３ｂに止着されているから、上記巻始側Ｋの面ファスナー３ｂの表面とカバー面ファスナー６との係脱を容易に行うことができる。
【００２１】
尚、本考案は上記の形態例に限られるものではなく、上記帯板部１、お太鼓部２、面ファスナー３ａ・３ｂ、弾性材４、基板５の材質や形態、構造等は適宜変更して設計されるものである。
【００２２】
以上の如く、所期の目的を充分達成することができる。
【符号の説明】
【００２３】
Ｋ    巻始側
Ｆ    折り返し面
１    帯板部
２    お太鼓部
３ａ    面ファスナー
３ｂ    面ファスナー
４    弾性材
４ａ    折り返し両端部
５    基板
６    カバー面ファスナー
【図１】
0003177272.tif 000003
【図２】
0003177272.tif 000004
【図３】
0003177272.tif 000005
【図４】
0003177272.tif 000006
【図５】
0003177272.tif 000007
【図６】
0003177272.tif 000008
【図７】
0003177272.tif 000009
【図８】
0003177272.tif 000010
【図９】
0003177272.tif 000011
【図１０】
0003177272.tif 000012